(57)【要約】【課題】  水切り棚を収納空間へ円滑に下降させることが可能な昇降式収納装置を提供する。【解決手段】  この昇降式収納装置１００は、キッチン用フロアキャビネット１のカウンター１ａの一部に形成した昇降用開口５内に配置される水切り棚２と、水切り棚２をカウンター１ａの下方の収納空間１４に下降させるとともに、カウンター１ａの上方に上昇させる昇降機構６とを備え、収納空間１４の中央近傍に、水切り棚２の水が排出されるとともに、排水管２８に接続される水受けマス２６を設け、キッチン用フロアキャビネット１に設けたシンク３と対向する収納空間１４の背板１４Ｄの内面側で、かつ、昇降用開口５のほぼ真下に、水受けマス２６を挟んで対向するように一対の水受け樋３０ａおよび３０ｂを傾斜させて取り付け、一対の水受け樋３０ａおよび３０ｂの傾斜の下手側を水受けマス２６に接続することを特徴とする。【選択図】  図５
2006296456.tif 000002
【特許請求の範囲】
【請求項１】
キッチン用フロアキャビネットのカウンターの一部に形成した昇降用開口内に配置される水切り棚と、前記水切り棚を前記カウンターの下方の収納空間に下降させるとともに、前記カウンターの上方に上昇させる昇降機構とを備えた昇降式収納装置において、
前記収納空間の中央近傍に、前記水切り棚の水が排出されるとともに、排水管に接続される水受けマスを設け、
前記キッチン用フロアキャビネットに設けたシンクと対向する前記収納空間の内壁面で、かつ、前記昇降用開口のほぼ真下に、前記水受けマスを挟んで対向するように一対の水受け樋を傾斜させて取り付け、
前記一対の水受け樋の傾斜の下手側を前記水受けマスに接続することを特徴とする、昇降式収納装置。
【請求項２】
前記水受け樋の一方の側面部の上部に、前記収納空間の内壁面に向かって延びるリブを設けることを特徴とする、請求項１に記載の昇降式収納装置。
【請求項３】
前記水受けマスに、前記水受け樋から流入する水が当たる誘導壁を設けることを特徴とする、請求項１または２に記載の昇降式収納装置。
【請求項４】
前記誘導壁を円弧状に形成し、前記水受け樋から流入する水を前記誘導壁の円弧内側の壁面に当てるとともに、
前記円弧状の誘導壁の円弧内に対応する前記水受けマスの底面に、前記排水管に接続される排水用孔部を設けることを特徴とする、請求項３に記載の昇降式収納装置。
【請求項５】
前記水受けマスの上部を覆う蓋部材を備えることを特徴とする、請求項１〜４のいずれか１項に記載の昇降式収納装置。
【発明の詳細な説明】
【技術分野】
【０００１】
本発明は、キッチン用フロアキャビネットに装備される昇降式収納装置に関する。
【背景技術】
【０００２】
従来の一般的なキッチン用フロアキャビネットでは、皿や鍋、調味料などの収納物を収納するための収納部がカウンターの下方に設けられており、収納物の出し入れを行う際には、調理作業などを中断して屈んだ姿勢で収納物を出し入れする必要があった。
【０００３】
このため、従来、キッチン用フロアキャビネットの上方に配置された天袋に、上下方向に移動可能な収納部を設ける技術が知られている（たとえば、特許文献１および２参照）。この特許文献１および２に開示されたような昇降式収納装置では、収納物の出し入れを行う際に、天袋の収納部を引き下ろすことによって、立った姿勢のままで収納物の出し入れを行うことができるようにしている。
【０００４】
しかしながら、上記特許文献１および２のような従来の昇降式収納装置では、収納部が天袋に設けられているので、収納部を引き下ろした状態でも、収納部の上部に対して収納物の出し入れを行うのが困難な場合があるという不都合がある。また、キッチンとダイニングとの間に壁面が存在しない、いわゆるオープン型の対面キッチンにおいては、収納部を設置するための壁面（天袋）が存在しないので、昇降式収納装置を設置するのが困難であるという不都合がある。
【０００５】
そこで、上記した不都合を解消するために、本出願人は、オープン型の対面キッチンにも設置可能で、収納物を容易に出し入れすることが可能な昇降式収納装置を提案した。すなわち、本出願人による昇降式収納装置は、キッチン用フロアキャビネットのカウンターの一部に形成した昇降用開口内に配置される水切り棚（収納棚）と、その水切り棚をカウンターの下方の収納空間に下降させるとともに、カウンターの上方に上昇させる昇降機構とを備えている。
【特許文献１】特開２０００−３１６６４３号公報
【特許文献２】特開２００１−１４９２９７号公報
【発明の開示】
【発明が解決しようとする課題】
【０００６】
上記した本出願人の提案による昇降式収納装置において、水切り棚を収納空間へ円滑に下降させたいという要望がある。
【０００７】
この発明は、上記のような要望に応えるためになされたものであり、水切り棚を収納空間へ円滑に下降させることが可能な昇降式収納装置を提供することを目的とする。
【課題を解決するための手段】
【０００８】
上記目的を達成するために、この発明の昇降式収納装置は、キッチン用フロアキャビネットのカウンターの一部に形成した昇降用開口内に配置される水切り棚と、水切り棚をカウンターの下方の収納空間に下降させるとともに、カウンターの上方に上昇させる昇降機構とを備えた昇降式収納装置において、収納空間の中央近傍に、水切り棚の水が排出されるとともに、排水管に接続される水受けマスを設け、キッチン用フロアキャビネットに設けたシンクと対向する収納空間の内壁面で、かつ、昇降用開口のほぼ真下に、水受けマスを挟んで対向するように一対の水受け樋を傾斜させて取り付け、一対の水受け樋の傾斜の下手側を水受けマスに接続することを特徴とする。
【０００９】
水漏れによって収納空間の内部の衛生状態が悪化するのを抑制するために、水受け樋の一方の側面部の上部に、収納空間の内壁面に向かって延びるリブを設けることが好ましい。
【００１０】
水漏れによって収納空間の内部の衛生状態が悪化するのを抑制するために、水受けマスに、水受け樋から流入する水が当たる誘導壁を設けることが好ましい。
【００１１】
水受け樋から流入する水をより効率良く排水管に接続される排水用孔部に排出するために、誘導壁を円弧状に形成し、水受け樋から流入する水を誘導壁の円弧内側の壁面に当てるとともに、円弧状の誘導壁の円弧内に対応する水受けマスの底面に、排水管に接続される排水用孔部を設けることが好ましい。
【００１２】
収納空間内の衛生状態をより向上するために、水受けマスの上部を覆う蓋部材を備えることが好ましい。
【発明の効果】
【００１３】
この発明の昇降式収納装置によれば、水受けマスを収納空間の中央近傍に設けるとともに、一対の水受け樋を、水受けマスを挟んで対向するように収納空間の内壁面に傾斜させて取り付けることによって、水受けマスを収納空間の隅部近傍に設ける場合と異なり、傾斜した一対の水受け樋のうちの一方が長くなり過ぎるのを抑制することができるので、水受けマスを基準とする水受け樋の高さ方向の設置領域が大きくなるのを抑制することができる。これにより、水切り棚の下降時に、水切り棚と水受け樋とが接触するのを抑制することができるので、水切り棚を収納空間へ円滑に下降させることができる。
【発明を実施するための最良の形態】
【００１４】
以下、本発明の実施形態を図面に基づいて説明する。
【００１５】
図１および図２は、本発明の一実施形態による昇降式収納装置を含むキッチン用フロアキャビネットの全体構成を示した斜視図であり、図３〜図１４は、図１に示したキッチン用フロアキャビネットの昇降式収納装置の構成を示した図である。まず、図１および図２を参照して、本発明の一実施形態による昇降式収納装置１００を含むキッチン用フロアキャビネット１について説明する。なお、本実施形態では、キッチンとダイニング・リビングとの間に壁面が存在しない、いわゆるオープン型の対面キッチンにキッチン用フロアキャビネット１を適用する例を示したが、オープン型の対面キッチン以外のキッチンにもキッチン用フロアキャビネット１を適用可能である。
【００１６】
キッチン用フロアキャビネット１は、図１および図２に示すように、上面を覆うカウンター１ａと、カウンター１ａ上の右側位置に設けられたシンク３と、シンク３の後方（キッチンからダイニング・リビングに向かう方向）に配置された本発明の一実施形態による昇降式収納装置１００とを備えている。なお、昇降式収納装置１００は、シンク３の側方に配置されていてもよい。また、キッチン用フロアキャビネット１における左右方向は、ユーザがキッチンからダイニング・リビングを向いた状態を基準としている。
【００１７】
本実施形態による昇降式収納装置１００は、図４〜図６に示すように、食器類の水切りを行うための水切り棚２と、水切り棚２を昇降可能に支持する昇降機構６とにより構成されている。水切り棚２は、図２に示すように、カウンター１ａの一部に形成された昇降用開口５内に配置されている。昇降用開口５には、横長形状のカバー枠８が装着されている。また、水切り棚２は、図１および図２に示すように、水切り棚２の下方に設けられた昇降機構６（図４および図５参照）により、カウンター１ａの下方の下降位置Ｄ（図１参照）とカウンター１ａの上方の上昇位置Ｕ（図２参照）との間を昇降可能なように構成されている。
【００１８】
水切り棚２には、図２および図８に示すように、食器類を載置して水切りを行うための２つの水切り部２ａおよび２ｂが上下２段で設けられている。また、水切り棚２の上面は、天板カウンター４により覆われている。この天板カウンター４は、図１に示すように、水切り棚２が下降位置Ｄに位置する際に、カバー枠８（図２参照）とともに昇降用開口５を覆うようにキッチン用フロアキャビネット１のカウンター１ａの上面とわずかな間隔を隔てて対向配置されることによって、カウンター１ａの一部を構成する。これにより、水切り棚２の天板カウンター４の上面を作業スペースとして利用することが可能である。
【００１９】
また、天板カウンター４の前面の右側位置には、水切り棚２の昇降操作を行うためのスイッチパネル７が取り付けられている。このスイッチパネル７には、図３に示すように、上昇スイッチ７ａ、停止スイッチ７ｂおよび下降スイッチ７ｃと、点滅ランプやスピーカーなどからなるトラップ給水報知・警報部７ｄ、異物挟み込み報知・警報部７ｅおよび過積載報知・警報部７ｆとが設けられている。
【００２０】
また、水切り棚２は、図８に示すように、横長形状の上部フレーム２Ａおよび下部フレーム２Ｂと、縦長形状の左側部フレーム２Ｃおよび右側部フレーム２Ｄとを溶接などにより一体的に組み立てることにより構成されている。上部フレーム２Ａ、下部フレーム２Ｂ、左側部フレーム２Ｃおよび右側部フレーム２Ｄにより囲まれる水切り棚２の後面側（ダイニング・リビング側）には、化粧板１１が取り付けられている。また、左側部フレーム２Ｃ、右側部フレーム２Ｄおよび上部フレーム２Ａには、それぞれ、化粧板１２ａ、１２ｂおよび１２ｃが取り付けられている。なお、化粧板１１を透光性材料により形成した場合には、光が化粧板１１を透過することが可能になるので、ダイニング・リビング側からの光により水切り棚２の内部を明るく照らすことが可能になる。
【００２１】
また、水切り棚２の化粧板１２ｃには、換気ファン３５が取り付けられている。この換気ファン３５には、湿度を検出する湿度センサー（図示せず）が取り付けられており、湿度が所定値以上のときに換気ファン３５を駆動させるように構成されている。なお、換気ファン３５は、後述する収納空間１４の内部に取り付けられていてもよい。また、上述した天板カウンター４は、化粧板１２ｃを介して水切り棚２の上部フレーム２Ａに取り付けられている。
【００２２】
昇降用開口５の下方に位置するキッチン用フロアキャビネット１の内部には、図４〜図７に示すように、下降位置Ｄに位置する水切り棚２を収容可能な収納空間１４が設けられている。この収納空間１４は、左側板１４Ａ、右側板１４Ｂおよび底板１４Ｃにより上面が開口したコの字状に形成されており、左側板１４Ａ、右側板１４Ｂおよび底板１４Ｃにより囲まれるキッチン側の面には、背板１４Ｄが取り付けられるとともに、左側板１４Ａ、右側板１４Ｂおよび底板１４Ｃにより囲まれるダイニング・リビング側の面には、点検用扉１４Ｅ（図６および図７参照）が開閉可能に取り付けられている。なお、収納空間１４に取り付けられた背板１４Ｄは、本発明の「収納空間の内壁面」の一例である。
【００２３】
また、収納空間１４には、図４〜図６に示すように、水切り棚２を昇降させるための昇降機構６が設置されている。すなわち、収納空間１４の左側板１４Ａおよび右側板１４Ｂの内面には、図６に示すように、それぞれ、上下方向に延びる一対のガイドレール１５が固定されている。また、一対のガイドレール１５の間には、図７に示すように、ガイドレール１５の上端部および下端部に対応する位置に、上プーリ１６Ａおよび下プーリ１６Ｂが各々固定されている。
【００２４】
水切り棚２の左側部フレーム２Ｃの下部および右側部フレーム２Ｄの下部には、図５に示すように、それぞれ、Ｈ字状（図９参照）のブラケット１７が固定されている。このブラケット１７には、図９に示すように、一対のガイドレール１５に対して上下方向に摺動可能に嵌り込む４つの合成樹脂製のシュー１８が取り付けられている。そして、ブラケット１７のシュー１８がガイドレール１５により上下方向にガイドされながら摺動することによって、図１および図２に示すように、水切り棚２がカウンター１ａの下方の下降位置Ｄとカウンター１ａの上方の上昇位置Ｕとの間で昇降移動される。
【００２５】
また、収納空間１４の底板１４Ｃの中央位置には、図６に示すように、駆動源としての電動モータ２０と、電動モータ２０によりチェーン２１ａを介して一体的に駆動される２つのドラム２１Ａおよび２１Ｂとが設置されている。ドラム２１Ａには、ベルト２２Ａが下方から巻き付けられて、その内端部が固定されている。このベルト２２Ａは、左側板１４Ａの下プーリ１６Ｂと上プーリ１６Ａとに順次係合されて、その外端部が水切り棚２の左側部フレーム２Ｃのブラケット１７に固定されている。また、ドラム２１Ｂには、ベルト２２Ｂが上方から巻き付けられて、その内端部が固定されている。このベルト２２Ｂは、右側板１４Ｂの下プーリ１６Ｂと上プーリ１６Ａとに順次係合されて、その外端部が水切り棚２の右側部フレーム２Ｄのブラケット１７に固定されている。
【００２６】
したがって、スイッチパネル７の上昇スイッチ７ａ（図３参照）をプッシュ操作することで、電動モータ２０が正回転すると、ドラム２１Ａおよび２１Ｂが図５の矢印ａ方向に駆動されて、ベルト２２Ａおよび２２Ｂがドラム２１Ａおよび２１Ｂに各々巻き取られる。そして、水切り棚２の左右のブラケット１７がガイドレール１５でガイドされながら、ベルト２２Ａおよび２２Ｂにより上方に引っ張られて上昇することにより、水切り棚２がカウンター１ａの上方の上昇位置Ｕ（図２参照）に向かって上昇される。その後、水切り棚２が上昇位置Ｕまで上昇されると、電動モータ２０が停止するとともに、逆回転しないようにロックされる。これにより、上昇スイッチ７ａをさらにプッシュ操作したとしても電動モータ２０がさらに正回転することのないように制御される。
【００２７】
また、スイッチパネル７の下降スイッチ７ｃ（図３参照）をプッシュ操作することで、電動モータ２０のロックが解除されて、水切り棚２の左右のブラケット１７がガイドレール１５でガイドされながら、水切り棚２が自重で下降する。これにより、水切り棚２がカウンター１ａの下方の下降位置Ｄ（図１参照）に下降される。
【００２８】
また、上記した水切り棚２の下降操作の際、電動モータ２０を逆回転させながら左右のベルト２２Ａおよび２２Ｂをドラム２１Ａおよび２１Ｂから繰り出すが、この電動モータ２０の逆回転は、水切り棚２が自重で急激に下降することのないようにブレーキを掛けながら行われるように設定されている。なお、下降スイッチ７ｃをプッシュ操作することにより水切り棚２がカウンター１ａの下方の下降位置Ｄまで自動的に下降されるように構成したが、下降スイッチ７ｃをプッシュ操作することにより水切り棚２が下降位置Ｄの手前（たとえば、約１００ｍｍ）まで下降した後、下降スイッチ７ｃをさらにプッシュ操作（いわゆる２段押し）することにより下降位置Ｄまで下降するように構成してもよい。このように構成した場合には、装置の安全性をより向上させることが可能である。
【００２９】
また、スイッチパネル７の停止スイッチ７ｂをプッシュ操作することで、電動モータ２０が停止して、水切り棚２を上昇途中または下降途中の任意の位置で停止させることが可能である。
【００３０】
また、収納空間１４の底板１４Ｃの上面には、図４および図５に示すように、制御ボックス３２が取り付けられている。この制御ボックス３２の制御回路には、上述した電動モータ２０、各スイッチ７ａ〜７ｃおよび各報知・警報部７ｄ〜７ｆなどが接続されている。
【００３１】
また、水切り棚２の下部フレーム２Ｂには、図５に示すように、水受けトレー１０が取り付けられている。この水受けトレー１０は、底部の中央部が下方に向かって窪むようなすり鉢状に形成されており、水受けトレー１０の底部の中央部には排水口１０ａが設けられている。この排水口１０ａには、可撓性を有する排水パイプ２５の一方端２５ａが接続されている。
【００３２】
ここで、本実施形態では、収納空間１４の背板１４Ｄには、図４および図５に示すように、収納空間１４の中央近傍に位置するように箱形状の水受けマス２６が取り付けられている。また、収納空間１４の背板１４Ｄには、図５に示すように、シンク３（図２参照）から水切り棚２に食器類を移動させる際に垂れ落ちた水などを受け止めるための一対の水受け樋３０ａおよび３０ｂが水平方向に対して傾斜して取り付けられている。この一対の水受け樋３０ａおよび３０ｂは、水受けマス２６を挟んで対向して配置されており、一対の水受け樋３０ａおよび３０ｂの傾斜の下手側端部は、それぞれ、水受けマス２６に接続されている。また、水受け樋３０ａおよび３０ｂと収納空間１４の背板１４Ｄとの間には、図１２に示すように、水受け樋３０ａおよび３０ｂの下方側への水の浸入を防止するためのパッキン３１が配置されている。
【００３３】
また、水受け樋３０ａおよび３０ｂの下部には、図４、図５および図１２に示すように、それぞれ、水受け樋３０ａおよび３０ｂに沿って延びる筒状の排水路３２ａおよび３２ｂが一体的に形成されている。この筒状の排水路３２ａおよび３２ｂは、水受け樋３０ａおよび３０ｂの傾斜の下手側端部において水受けマス２６に接続されている。また、水受けトレー１０の排水口１０ａに一方端２５ａが接続された排水パイプ２５は、図５に示すように、下方に向かって延在しながら、その他方端２５ｂが水受け樋３０ａの傾斜の上手側端部に対応する排水路３２ａの端部にエルボ４４（図１０および図１１参照）を介して接続されている。これにより、水受け棚２の水受けトレー１０の水は、排水パイプ２５および排水路３２ａを介して水受けマス２６に排出される。
【００３４】
また、本実施形態では、水受け樋３０ａおよび３０ｂの側面部３３ａおよび３３ｂの上部には、図１０〜図１２に示すように、収納空間１４の背板１４Ｄに向かって延びるリブ３４ａおよび３４ｂが形成されている。これらのリブ３４ａおよび３４ｂは、昇降用開口５（図２参照）を介して収納空間１４の背板１４Ｄを伝い落ちてきた水が水受け樋３０ａおよび３０ｂの側面部３３ａおよび３３ｂを乗り越えるのを抑制するために設けられている。
【００３５】
また、水受けマス２６の側面の上部には、図１３および図１４に示すように、排水路３２ａおよび３２ｂの端部が載置される一対の凹部２６ａが形成されている。このため、凹部２６ａが形成された水受けマス２６の側面部分は、凹部２６ａが形成されていない水受けマス２６の他の側面部分に比べて、水受けマス２６の底面からの高さがより小さくなっている。また、水受けマス２６の底面の中央位置には、排水用孔部２６ｂが形成されている。
【００３６】
また、本実施形態では、図１１、図１３および図１４に示すように、排水用孔部２６ｂの水受け樋３０ｂ側の縁に、断面円弧状の誘導壁２６ｃが形成されている。すなわち、水受けマス２６の排水用孔部２６ｂは、円弧状の誘導壁２６ｃの円弧内に対応する水受けマス２６の底面に設けられている。この誘導壁２６ｃは、排水路３２ａからの水を誘導壁２６ｃの円弧内側の壁面に当てて排水用孔部２６ｂへ円滑に流し込むための機能を有している。また、水受けマス２６の左右方向における中央位置には、図１３および図１４に示すように、排水用孔部２６ｂを挟んで２つの壁２６ｇおよび２６ｈが設けられている。壁２６ｇは、図１４に示すように、水受けマス２６の内面と誘導壁２６ｃの円弧の一方端とを連結するように形成されており、排水路３２ａからの水が誘導壁２６ｃの左側に回り込むのを防止するための機能を有している。また、壁２６ｈは、水受けマス２６の内面から誘導壁２６ｃの円弧の他方端に向かって延びるように設けられており、誘導壁２６ｃの円弧の他方端と壁２６ｈとの間には、所定の幅を有する間隙Ｓが形成されている。この壁２６ｈは、排水路３２ａからの水が誘導壁２６ｃの左側に回り込むのを抑制するための機能を有している。
【００３７】
また、水受けマス２６の底面の隅部には、図１３および図１４に示すように、開口部２６ｄが形成されている。この開口部２６ｄは、水受けマス２６以降の流路に詰まりが発生して水受けマス２６に所定量以上の水が収容された際に、水受けマス２６の排水処理を補助的に行うために設けられている。また、開口部２６ｄは、切欠き部２６ｅを有する壁部２６ｆによって周囲を覆われている。この壁部２６ｆの切欠き部２６ｅは、水受けマス２６の底面からの高さが水受けマス２６の側面の凹部２６ａよりも小さくなるように構成されている。これにより、水受けマス２６に所定量以上の水が収容された際に、水受けマス２６内の水が、水受けマス２６の側面の凹部２６ａを乗り越えずに、壁部２６ｆの切欠き部２６ｅを乗り越えて開口部２６ｄに導かれる。
【００３８】
上記構成によれば、水受けマス２６の内部は、図１４に示すように、誘導壁２６ｃと２つの壁２６ｇおよび２６ｈとによって、排水用孔部２６ｂを含む右側領域と開口部２６ｄを含む左側領域とに分割されており、誘導壁２６ｃの円弧の他方端と壁２６ｈとの間に形成された間隙Ｓを介してのみ、左右の領域間で水の移動が行われる。これにより、排水路３２ａから一度に大量の水が流入してきたとしても、誘導壁２６ｃと２つの壁２６ｇおよび２６ｈとによって、開口部２６ｄを含む左側領域に大量の水が浸入するのを抑制することが可能である。
【００３９】
また、水受けマス２６は、図１０に示すように、樹脂製の蓋部材２６Ａにより上方を覆われている。水受けマス２６には、図１１、図１３および図１４に示すように、ネジ孔２６ｉが形成されており、蓋部材２６Ａのネジ挿入孔（図示せず）を介して水受けマス２６のネジ孔２６ｉにネジ４３（図１０参照）を挿入して締め付けることにより水受けマス２６の上部に蓋部材２６Ａを固定している。また、水受けマス２６の排水用孔部２６ｂの下部には、図４および図５に示すように、Ｕ字状の排水トラップ２７の入口端が接続されている。また、排水トラップ２７の出口端は、排水管２８に接続されており、排水管２８は、収納空間１４の底板１４Ｃの開口１４ａを介して下水配管（図示せず）などに接続されている。
【００４０】
また、開口部２６ｄの下部には、図４、図５、図１０および図１１に示すように、水受けマス２６の開口部２６ｄ（図１４参照）より排出される水を収納空間１４の外部に誘導するための配管４０が接続されている。また、配管４０の出口側の端部には、配管４０より流れ出る水を貯留するための半透明の貯水ケース４１がエルボ４２を介して接続されている。この貯水ケース４１は、収納空間１４の底板１４Ｃの下方に配置されており、底板１４Ｃに形成された切欠き１４ｂを介して収納空間１４内に露出している。これにより、ユーザは、収納空間１４のダイニング・リビング側に開閉可能に設けられた点検用扉１４Ｅを開けることによって、底板１４Ｃの切欠き１４ｂを介して、貯水ケース４１に水が溜まっているか否かを視認することが可能であるので、容易に、開口部２６ｄからの排水の有無を確認して水受けマス２６以降の流路の詰まりの発生を認識することが可能になる。
【００４１】
本実施形態では、上記のように、キッチン用フロアキャビネット１のカウンター１ａの一部に形成した昇降用開口５内に設置された水切り棚２を、昇降機構６により、昇降式収納装置１００の不使用時に、カウンター１ａの下方の収納空間１４に下降させるとともに、昇降式収納装置１００の使用時に、カウンター１ａの上方に上昇させるように構成することによって、キッチンとダイニング・リビングとの間に壁面が存在しないオープン型の対面キッチンに適用したキッチン用フロアキャビネット１にも、昇降式収納装置１００を容易に設置可能であり、水切り棚２をカウンター１ａの上方に上昇させた場合には、立った姿勢のままで水切り棚２に対して食器類の出し入れを行うことができる。
【００４２】
また、本実施形態では、上記のように、水切り棚２を昇降機構６により昇降可能に構成することによって、水切り棚２をカウンター１ａの上方に上昇させた場合に、水切り棚２のいずれの段に対しても容易に食器類を出し入れすることができるとともに、水切り棚２をカウンター１ａの下方の収納空間１４に下降させた場合に、水切り棚２の天板カウンター４がカウンター１ａの一部を構成するので、カウンター１ａの上面をより広く使用することができ、その結果、作業性を向上させることができる。
【００４３】
また、本実施形態では、上記のように、水受けマス２６を収納空間１４の中央近傍に設けるとともに、一対の水受け樋３０ａおよび３０ｂを、水受けマス２６を挟んで対向するように収納空間１４の背板１４Ｄに傾斜させて取り付けることによって、水受けマス２６を収納空間１４の隅部近傍に設ける場合と異なり、傾斜した一対の水受け樋３０ａおよび３０ｂのうちの一方が長くなり過ぎるのを抑制することができるので、水受けマス２６を基準とする水受け樋３０ａおよび３０ｂの高さ方向の設置領域が大きくなるのを抑制することができる。これにより、水切り棚２の下降時に、水切り棚２と水受け樋３０ａおよび３０ｂとが接触するのを抑制することができるので、水切り棚２を収納空間１４へ円滑に下降させることができる。
【００４４】
また、本実施形態では、上記のように、水受け樋３０ａ（３０ｂ）の側面部３３ａ（３３ｂ）の上部に、収納空間１４の背板１４Ｄに向かって延びるリブ３４ａ（３４ｂ）を設けることによって、昇降用開口５を介して収納空間１４の背板１４Ｄを大量の水が伝い落ちてきた場合に、側面部３３ａ（３３ｂ）のリブ３４ａ（３４ｂ）により、その水が水受け樋３０ａ（３０ｂ）の側面部３３ａ（３３ｂ）を乗り越えるのを抑制することができるので、収納空間１４内に水が飛散するのを抑制することができる。その結果、水漏れによって収納空間１４の内部の衛生状態が悪化するのを抑制することができる。
【００４５】
また、本実施形態では、上記のように、水受けマス２６に、排水路３２ａから流入する水が当たる誘導壁２６ｃを設けることによって、排水路３２ａから流入する水を誘導壁２６ｃに当てて誘導することができるので、水受けマス２６内の水を、排水トラップ２７を介して効率良く排水管２８に排出することができる。これにより、排水路３２ａから水受けマス２６に大量の水が流入した場合にも、水受けマス２６から収納空間１４内に水が溢れ出るのを抑制することができるので、水漏れによって収納空間１４の内部の衛生状態が悪化するのを抑制することができる。
【００４６】
また、本実施形態では、上記のように、誘導壁２６ｃを円弧状に形成し、排水路３２ａから流入する水を誘導壁２６ｃの円弧内側の壁面に当てるとともに、円弧状の誘導壁２６ｃの円弧内に対応する水受けマス２６の底面に、排水トラップ２７に接続される排水用孔部２６ｂを設けることによって、排水路３２ａから流入する水を、誘導壁２６ｃの円弧内の排水用孔部２６ｂに容易に誘導することができるとともに、誘導壁２６ｃの円弧外に飛散するのを抑制することができるので、排水路３２ａから流入する水を、排水トラップ２７を介して、より効率良く排水管２８に接続される排水用孔部２６ｂに排出することができる。
【００４７】
また、本実施形態では、上記のように、水受けマス２６の上部を覆う蓋部材２６Ａを水受けマス２６に取り付けることによって、水受けマス２６の上部を蓋部材２６Ａで覆うことができるので、排水路３２ａから流入した水が水受けマス２６の誘導壁２６ｃなどで反射して収納空間１４内に飛散したり、排水管２８に接続された排水用孔部２６ｂから水が逆流して噴出することにより収納空間１４内に飛散したりするのを抑制することができる。これにより、水漏れによって収納空間１４の内部の衛生状態が悪化するのを抑制することができる。
【００４８】
また、本実施形態では、上記のように、水受けマス２６の上部を覆う蓋部材２６Ａを水受けマス２６に取り付けることによって、排水トラップ２７内の水分や臭いが収納空間１４に拡散するのを抑制することができるので、収納空間１４内の衛生状態をより向上することができる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記実施形態では、誘導壁２６ｃを円弧状に形成する例について示したが、本発明はこれに限らず、排水路３２ａからの水を排水用孔部２６ｂに円滑に誘導可能な形状であれば、誘導壁２６ｃを円弧状以外の形状に形成してもよい。
【００５１】
また、上記実施形態では、水受けトレー１０の排水口１０ａに一方端２５ａが接続された排水パイプ２５の他方端２５ｂを、水受け樋３０ａの排水路３２ａに接続する例について示したが、本発明はこれに限らず、水受けトレー１０の排水口１０ａに一方端２５ａが接続された排水パイプ２５の他方端２５ｂを、水受け樋３０ｂの排水路３２ｂに接続してもよい。この場合には、水受けマス２６の排水用孔部２６ｂの縁に形成した円弧状の誘導壁２６ｃを、排水用孔部２６ｂの水受け樋３０ａ側の縁に形成するのが好ましい。また、この場合、開口部２６ｄを、水受けマス２６内の誘導壁２６ｃよりも水受け樋３０ａ側に形成するのが好ましい。
【００５２】
また、上記実施形態では、本発明の昇降式収納装置を、食器類を水切り部２ａおよび２ｂに載置することにより食器類の水切りを行う水切り棚２を備えた昇降式収納装置１００に適用する例について示したが、本発明はこれに限らず、乾燥手段を用いて載置した食器類を乾燥させることにより食器類の水切りを行う食器乾燥機や、乾燥前に載置した食器類の洗浄を行う機能が付加された食器洗い乾燥機などを備えた昇降式収納装置にも本発明を適用可能である。
【図面の簡単な説明】
【００５３】
【図１】本発明の一実施形態による昇降式収納装置を含むキッチン用フロアキャビネットにおいて昇降式収納装置が下降した状態を示した斜視図である。
【図２】図１に示したキッチン用フロアキャビネットにおいて昇降式収納装置が上昇した状態を示した斜視図である。
【図３】図１に示した一実施形態による昇降式収納装置のスイッチパネルを示した正面図である。
【図４】図２に示した一実施形態による昇降式収納装置をダイニング・リビング側から見た状態を示した斜視図である。
【図５】図４に示した一実施形態による昇降式収納装置をダイニング・リビング側から見た状態を示した正面図である。
【図６】図４に示した一実施形態による昇降式収納装置の昇降機構の構成を示した平面図である。
【図７】図４に示した一実施形態による昇降式収納装置の昇降機構の構成を示した断面図である。
【図８】図４に示した一実施形態による昇降式収納装置の水切り棚において天板カウンターを省略した状態を示した斜視図である。
【図９】図４に示した一実施形態による昇降式収納装置のガイドレールおよびブラケットを示した斜視図である。
【図１０】図５に示した一実施形態による昇降式収納装置の水受けマス周辺の構成を示した斜視図である。
【図１１】図１０に示した一実施形態による昇降式収納装置の水受けマスにおいて蓋部材を省略した状態を示した斜視図である。
【図１２】図１０に示した一実施形態による昇降式収納装置の水受け樋の断面図である。
【図１３】図１０に示した一実施形態による昇降式収納装置の水受けマスを示した斜視図である。
【図１４】図１３に示した一実施形態による昇降式収納装置の水受けマスの平面図である。
【符号の説明】
【００５４】
１  キッチン用フロアキャビネット
１ａ  カウンター
２  水切り棚
３  シンク
５  昇降用開口
６  昇降機構
１４  収納空間
１４Ｄ  背板（内壁面）
２６  水受けマス
２６ｂ  排水用孔部
２６ｃ  誘導壁
２６Ａ  蓋部材
２８  排水管
３０ａ、３０ｂ  水受け樋
３３ａ、３３ｂ  側面部
３４ａ、３４ｂ  リブ
１００  昇降式収納装置
【図１】
2006296456.tif 000003
【図２】
2006296456.tif 000004
【図３】
2006296456.tif 000005
【図４】
2006296456.tif 000006
【図５】
2006296456.tif 000007
【図６】
2006296456.tif 000008
【図７】
2006296456.tif 000009
【図８】
2006296456.tif 000010
【図９】
2006296456.tif 000011
【図１０】
2006296456.tif 000012
【図１１】
2006296456.tif 000013
【図１２】
2006296456.tif 000014
【図１３】
2006296456.tif 000015
【図１４】
2006296456.tif 000016